(57)【要約】【課題】配信チャンネルに信号が追加される場合に、非線形光学効果や光波長分散による品質劣化を受けにくい光伝送システム及び光伝送方法を提供する。【解決手段】送信装置は、キャリア変調信号を周波数多重した入力信号の低周波数側の第１の信号を第１の光波長を有する第１の光信号へ変換し、第１の光信号を送信する第１の光送信部と、入力信号の第１の信号とは異なる高周波数側の第２の信号を低周波数側の第２の信号へ周波数変換する第１の周波数変換部と、低周波数側の第２の信号を第２の光波長を有する第２の光信号へ変換し、第２の光信号を送信する第２の光送信部とを備え、受信装置は、第１の光信号を受信し、第１の信号を出力する第１の光受信部と、第２の光信号を受信し、低周波数側の第２の信号を出力する第２の光受信部と、第２の光受信部が出力した低周波数側の第２の信号を高周波数側の第２の信号へ周波数変換する第１の周波数再変換部とを備える。【選択図】図１
2018074477.tif 000002
【特許請求の範囲】
【請求項１】
光通信路を介して接続された送信装置と受信装置とを備える光伝送システムであって、
前記送信装置は、
キャリア変調信号を周波数多重した入力信号の低周波数側の第１の信号を第１の光波長を有する第１の光信号へ変換し、該第１の光信号を送信する第１の光送信部と、
前記入力信号の前記第１の信号とは異なる高周波数側の第２の信号を低周波数側の第２の信号へ周波数変換する第１の周波数変換部と、
前記低周波数側の第２の信号を第２の光波長を有する第２の光信号へ変換し、該第２の光信号を送信する第２の光送信部と
を備え、
前記受信装置は、
前記第１の光信号を受信し、前記第１の信号を出力する第１の光受信部と、
前記第２の光信号を受信し、前記低周波数側の第２の信号を出力する第２の光受信部と、
前記第２の光受信部が出力した前記低周波数側の第２の信号を前記高周波数側の第２の信号へ周波数変換する第１の周波数再変換部と
を備える、光伝送システム。
【請求項２】
前記送信装置は、
前記第１の信号を低周波数側の第１の信号へ周波数変換する第２の周波数変換部
をさらに備え、
前記第１の光送信部は、前記低周波数側の第１の信号を前記第１の光信号へ変換し、
前記受信装置は、
前記第１の光受信部が出力した前記低周波数側の第１の信号を前記第１の信号へ周波数変換する第２の周波数再変換部
をさらに備える、
請求項１に記載の光伝送システム。
【請求項３】
第２の信号の周波数帯は、ＢＳ左旋円偏波の中間周波数帯及びＣＳ左旋円偏波の中間周波数帯、又はＢＳ右旋円偏波からＣＳ左旋円偏波の中間周波数帯である、請求項１又は請求項２に記載の光伝送システム。
【請求項４】
前記第１の光送信部は、ＦＭ一括変換方式によって、入力された信号を前記第１の光信号へ変換し、
前記第１の光受信部は、前記ＦＭ一括変換方式によって、前記第１の光信号を復調する、請求項１から請求項３のいずれか一項に記載の光伝送システム。
【請求項５】
前記第２の光送信部は、ＦＭ一括変換方式によって、入力された信号を前記第２の光信号へ変換し、
前記第２の光受信部は、前記ＦＭ一括変換方式によって、前記第２の光信号を復調する、請求項１から請求項４のいずれか一項に記載の光伝送システム。
【請求項６】
光通信路を介して接続された送信装置と受信装置とを備える光伝送システムであって、
前記送信装置は、
キャリア変調信号を周波数多重した入力信号を分割したＭ個（Ｍ≧３）の周波数ブロックのうち、最も低周波数側の周波数ブロックの信号を第１の光波長を有する第１の光信号へ変換し、該第１の光信号を送信する第１の光送信部と、
前記最も低周波数側の周波数ブロック以外の高周波数側のＭ−１個の周波数ブロックの信号をそれぞれ低周波数側の第２から第Ｍの信号へ周波数変換する第１から第Ｍ−１の周波数変換部と、
前記低周波数側の第２から第Ｍの信号をそれぞれ第２から第Ｍの光波長を有する第２から第Ｍの光信号へ変換し、該第２から第Ｍの光信号を送信する第２から第Ｍの光送信部と
を備え、
前記受信装置は、
前記第１の光信号を受信し、前記最も低周波数側の周波数ブロックの信号を出力する第１の光受信部と、
前記第２から第Ｍの光信号をそれぞれ受信し、前記低周波数側の第２から第Ｍの信号を出力する第２の光受信部と、
前記第２の光受信部が出力した前記低周波数側の第２から第Ｍの信号をそれぞれ前記高周波数側のＭ−１個の周波数ブロックの信号へ周波数変換する第１の周波数再変換部と
を備える、光伝送システム。
【請求項７】
光通信路を介して接続された送信装置と受信装置とを備える光通信システムが実行する光伝送方法であって、
前記送信装置が、キャリア変調信号を周波数多重した入力信号の低周波数側の第１の信号を第１の光波長を有する第１の光信号へ変換し、該第１の光信号を送信するステップと、
前記送信装置が、前記入力信号の前記第１の信号とは異なる高周波数側の第２の信号を低周波数側の第２の信号へ周波数変換するステップと、
前記送信装置が、前記低周波数側の第２の信号を第２の光波長を有する第２の光信号へ変換し、該第２の光信号を送信するステップと、
前記受信装置が、前記第１の光信号を受信し、前記第１の信号を出力するステップと、
前記受信装置が、前記第２の光信号を受信し、前記低周波数側の第２の信号を出力するステップと、
前記受信装置が、前記低周波数側の第２の信号を前記高周波数側の第２の信号へ周波数変換するステップと
を有する、光伝送方法。
【請求項８】
光通信路を介して接続された送信装置と受信装置とを備える光伝送システムが実行する光伝送方法であって、
前記送信装置が、キャリア変調信号を周波数多重した入力信号を分割したＭ個（Ｍ≧３）の周波数ブロックのうち、最も低周波数側の周波数ブロックの信号を第１の光波長を有する第１の光信号へ変換し、該第１の光信号を送信するステップと、
前記送信装置が、前記最も低周波数側の周波数ブロック以外の高周波数側のＭ−１個の周波数ブロックの信号をそれぞれ低周波数側の第２から第Ｍの信号へ周波数変換するステップと、
前記送信装置が、前記低周波数側の第２から第Ｍの信号をそれぞれ第２から第Ｍの光波長を有する第２から第Ｍの光信号へ変換し、該第２から第Ｍの光信号を送信するステップと、
前記受信装置が、前記第１の光信号を受信し、前記最も低周波数側の周波数ブロックの信号を出力するステップと、
前記受信装置が、前記第２から第Ｍの光信号をそれぞれ受信し、前記低周波数側の第２から第Ｍの信号を出力するステップと、
前記受信装置が、前記低周波数側の第２から第Ｍの信号をそれぞれ前記高周波数側のＭ−１個の周波数ブロックの信号へ周波数変換するステップと
を有する、光伝送方法。
【発明の詳細な説明】
【技術分野】
【０００１】
本発明は、光伝送システム及び光伝送方法に関する。
【背景技術】
【０００２】
ＣＡＴＶ（Cable Antenna TeleVision）のような周波数多重された多チャンネルＲＦ映像信号を、光ネットワークを介して配信する光伝送システムが知られている（例えば、非特許文献１参照）。この光伝送システムは、光一波長および、光二波長を使用する方式があり、実用化されている。
【０００３】
図７は、光伝送システムのネットワーク構成例を示す。図７（ａ）は、映像信号として９０ＭＨｚ〜７７０ＭＨｚのＶＨＦ／ＵＨＦ帯の映像信号、及び１ＧＨｚ〜２．１ＧＨｚ帯のＢＳ／ＣＳ１１０°衛星右旋円偏波中間周波数帯映像信号（以下「衛星右旋ＩＦ信号」という。）を光源波長λ１の光一波長で、光送信側設備１０の光送信機１２から伝送する構成を示す。光送信部１２から送信された信号は、光ネットワーク５０を経由して、光受信部２２に受信される。
図７（ｂ）は、７７０ＭＨｚ以下（９０ＭＨｚ〜７７０ＭＨｚ）のＶＨＦ／ＵＨＦ帯映像信号、及び衛星右旋ＩＦ信号のそれぞれに光一波長を割り当てることにより、光送信側設備３０から光受信側設備４０へ、光源波長λ１、及び光源波長λ２の光二波長で伝送する構成を示す。
【０００４】
光送信側設備３０において、第１の光送信部３２は、ＶＨＦ／ＵＨＦ帯映像信号によって光源波長λ１の光を強度変調することで、波長λ１の光信号を生成する。第１の光送信部３２は、該波長λ１の光信号を、ＷＤＭフィルタ３６へ出力する。第２の光送信部３４は、衛星右旋ＩＦ信号によって光源波長λ２の光を強度変調することで、波長λ２の光信号を生成する。第２の光送信部３４は、該波長λ２の光信号を、ＷＤＭフィルタ３６へ出力する。ＷＤＭフィルタ３６は、第１の光送信部３２が出力した波長λ１の光信号と第２の光送信部３４が出力した波長λ２の光信号とを取得すると、該波長λ１の光信号と該波長λ２の光信号とを波長多重する。ＷＤＭフィルタ３６は、該波長λ１の光信号と該波長λ２の光信号とを波長多重した光信号を、光ネットワーク５０へ送出する。光ネットワークの部分は、中継系のようなＰｏｉｎｔ−Ｔｏ−Ｐｏｉｎｔ伝送、アクセス系でのＰｏｉｎｔ−Ｔｏ−Ｍｕｌｔｉｐｏｉｎｔ伝送の形が考えられる。
光受信側設備４０において、ＷＤＭフィルタ４２は、光ネットワーク５０からの光信号を、波長λ１の光信号と波長λ２の光信号とに分離する。ＷＤＭフィルタ４２は、波長λ１の光信号を第１の光受信部４４へ出力し、波長λ２の光信号を第２の光受信部４６へ出力する。第１の光受信部４４は、ＷＤＭフィルタ４２が出力した波長λ１の光信号を取得すると、該波長λ１の光信号を電気信号へ変換することによって、ＶＨＦ／ＵＨＦ帯の映像信号を取得する。第２の光受信部４６は、ＷＤＭフィルタ４２が出力した波長λ２の光信号を取得すると、該波長λ２の光信号を電気信号へ変換することによって、衛星右旋ＩＦ信号を取得する。
【０００５】
放送信号に関しては、２０１８年からＢＳ及びＣＳ１１０°の衛星左旋円偏波を使用した４Ｋ、８Ｋの超高精細映像信号の商用サービスが計画されている。この商用サービスに伴ってＣＡＴＶシステムにおいても、２．２ＧＨｚ〜３．２ＧＨｚに位置するＢＳ／ＣＳ１１０°衛星左旋円偏波中間周波数帯映像信号（以下「衛星左旋ＩＦ信号」という。）が配信チャンネルに追加されることが予想される。
現在のチャンネル数に衛星左旋ＩＦ信号が追加される場合の影響を考える。周波数多重された多チャンネル映像信号を送信する方式として、強度変調方式とＦＭ一括変換方式とが勧告されている（例えば、非特許文献２、非特許文献３参照）。
【０００６】
強度変調方式の場合、所要の品質を得るためには１キャリアあたりの光変調度はある値以上が必要である。また一方で、光信号一波長で伝送する際の各キャリアの変調度は、非特許文献２に記載されているように、式（１）を満足する必要がある。
【数１】
2018074477.tif 000003
式（１）において、Ｎは伝送されるＲＦキャリア数を表し、ｊはキャリアの番号を表し、ｍｊはｊ番目のキャリアの光変調度を表す。式（１）より、光一波長で送信できる映像信号のＲＦキャリア数Ｎには上限があることがわかる。
したがって、これまで図７（ａ）に示したように光一波長で送信してきた強度変調方式の光伝送システムに対して衛星左旋ＩＦ信号を追加する場合、これまでに伝送してきたチャンネル数によっては図７（ｂ）のように光二波長目を使用するケースがでてくる。
【０００７】
また、図１（ｂ）に示したように現在既に、光二波長で伝送していたシステムについては、衛星右旋ＩＦ信号に衛星左旋ＩＦ信号を周波数多重した信号をλ２の光波長で送信するケース、及び衛星左旋ＩＦ信号を波長λ３の三波長目を使用して送信するケース（図示省略）が考えられる。
【０００８】
次に、ＦＭ一括変換方式の場合も、強度変調方式と同様のことがいえる。すなわち、ＦＭ一括変換方式において所要の品質を得るためには各キャリアの周波数偏移量はある値以上が必要である。また一方で、光信号一波長で送信する際の各キャリアの周波数偏移量は、非特許文献３に記載されているように、式（２）を満足する必要がある。
【数２】
2018074477.tif 000004
式（２）において、Ｎは伝送されるＲＦキャリア数を表し、ｊはキャリアの番号を表し、ΔＦｊ［ＭＨｚ］はｊ番目のキャリアの周波数偏移量を表す。式（２）より、光一波長で送信できる映像信号のＲＦキャリア数Ｎには上限がある。したがって、これまで光一波長で送信してきたＦＭ一括変換方式のシステムに対して、衛星左旋ＩＦ信号を追加する場合には、光一波長で送信することができないケースがでてくる。
また、現在光二波長で送信している光伝送システムについても同様に、衛星右旋ＩＦ信号と衛星左旋ＩＦ信号とを周波数多重した信号をλ２の光波長で配信、又は衛星左旋ＩＦ信号を、波長λ３の三波長目を使用して配信するケースが考えられる。
【先行技術文献】
【非特許文献】
【０００９】
【非特許文献１】“ＦＴＴＨ型ケーブルテレビシステム  光ネットワークとその機器，”  JCTEA STD-014-5.0, 2013.
【非特許文献２】“Transmission equipment for multi-channel television signals over optical access networks by sub-carrier multiplexing (SCM),” ITU-T Rec. J. 186, 2008.
【非特許文献３】“Transmission equipment for transferring multi-channel television signals over optical access networks by frequency modulation conversion,” ITU-T Rec. J. 185, 2012.
【非特許文献４】E. E. Bergmann, C. Y. Kuo, and S. Y. Huang, “Dispersion-Induced Composite Second-Order Distortion at 1.5μm,” IEEE Photonics Technology Letters, vol. 3, No. 1, pp. 59-61, 1991.
【非特許文献５】M. R. Phillips, T. E. Darcie, D. Marcuse, G. E. Bodeep, and N. J. Frigo, “Nonlinear Distortion Generated by Dispersive Transmission of Chirped Intensity-Modulated Signals,” IEEE Photonics Technology Letters, vol. 3, No. 5, pp. 481-483, 1991.
【非特許文献６】井筒，結城，池田，“ＦＭ一括変換方式によるＢＳ／ＣＳ１１０°信号の伝送方式（２）−Ｖ−ＯＮＵにおける残留ＦＭ信号の影響と抑圧方法−，”信学論，通信（２）ｐ．１７０，２００７，８月．
【発明の概要】
【発明が解決しようとする課題】
【００１０】
光ネットワークとしては、通信ビル間を結ぶ中継系ネットワークのようなＰ−Ｔｏ−Ｐ伝送と、通信ビルと加入者とをＰＯＮ（Passive Optical Network）構成で結ぶＰ−Ｔｏ−ＭＰ伝送との２つの形態がある。いずれの場合でも、伝送距離の拡大と光分岐数の拡大とをめざして、光ネットワークに送出される際の光パワーは増加する傾向にある。このため、光ファイバ中のパワーの増加に伴う非線形光学効果による品質劣化を考慮する必要がある。
光伝送路に関しては、通信ビル間、及び通信ビルと加入者との間には１．３μｍ零分散シングルモードファイバが設置されていることが多い。このファイバを用いて、光ファイバ増幅器で通常使用される１．５５μｍ帯の波長を有する光信号を伝送する場合、光波長分散による品質劣化を考慮する必要がある。なお、分散補償ファイバを伝送路の途中に挿入することによりある程度の波長分散量は補償可能であるが、補償しきれない分散量が残り、該分散量による影響は回避できない。
【００１１】
一方、多チャンネル映像信号を、強度変調方式により光ファイバ伝送する場合、非線形光学効果や光波長分散によって信号の品質が劣化し、その劣化の度合いは、キャリア周波数が高いほど大きいことが知られている（例えば、非特許文献４、非特許文献５参照）。衛星左旋ＩＦ信号は、衛星右旋ＩＦ信号のさらに高周波数側の約２．２ＧＨｚ〜３．２ＧＨｚの帯域に位置することから、衛星左旋ＩＦ信号は非線形光学効果や光波長分散によってこれまで以上に品質劣化が大きくなる。
【００１２】
同様の品質劣化が、程度は異なるがＦＭ一括変換システムにおいてもあてはまると考えられる。なぜなら、伝送する信号が広帯域化されるほど、ＦＭ一括変換後のＦＭ信号帯域も広帯域となるからである。さらにＦＭ一括変換システムでは、光受信部でのＦＭ復調器においてＦＭ復調前の信号がＦＭ復調後の信号に漏れ込み、雑音としてふるまうことが知られている（例えば、非特許文献６参照）。ＦＭ復調前の信号がＦＭ復調後の信号に漏れ込む影響は伝送する信号の帯域の最大周波数がＦＭの搬送波周波数に近づくほど大きくなる。衛星左旋ＩＦ信号は２．２ＧＨｚ〜３．２ＧＨｚにあり、一方非特許文献３によるとＦＭ信号の搬送波周波数は３±０．５ＧＨｚの範囲であることから、衛星左旋ＩＦ信号をＦＭ一括変換方式で配信する場合、漏れ込みによる雑音量がより大きくなる。
【００１３】
上記事情に鑑み、本発明は、配信チャンネルに、信号が追加される場合でも、非線形光学効果や光波長分散による品質劣化を受けにくい光伝送システム及び光伝送方法を提供することを目的としている。
【課題を解決するための手段】
【００１４】
本発明の一態様は、光通信路を介して接続された送信装置と受信装置とを備える光伝送システムであって、前記送信装置は、
キャリア変調信号を周波数多重した入力信号の低周波数側の第１の信号を第１の光波長を有する第１の光信号へ変換し、該第１の光信号を送信する第１の光送信部と、前記入力信号の前記第１の信号とは異なる高周波数側の第２の信号を低周波数側の第２の信号へ周波数変換する第１の周波数変換部と、前記低周波数側の第２の信号を第２の光波長を有する第２の光信号へ変換し、該第２の光信号を送信する第２の光送信部とを備え、前記受信装置は、前記第１の光信号を受信し、前記第１の信号を出力する第１の光受信部と、前記第２の光信号を受信し、前記低周波数側の第２の信号を出力する第２の光受信部と、前記第２の光受信部が出力した前記低周波数側の第２の信号を前記高周波数側の第２の信号へ周波数変換する第１の周波数再変換部とを備える、光伝送システムである。
【００１５】
本発明の一態様は、上記の光伝送システムであって、前記送信装置は、前記第１の信号を低周波数側の第１の信号へ周波数変換する第２の周波数変換部をさらに備え、前記第１の光送信部は、前記低周波数側の第１の信号を前記第１の光信号へ変換し、前記受信装置は、前記第１の光受信部が出力した前記低周波数側の第１の信号を前記第１の信号へ周波数変換する第２の周波数再変換部をさらに備える。
【００１６】
本発明の一態様は、上記の光伝送システムであって、
第２信号の周波数帯は、ＢＳ左旋円偏波の中間周波数帯及びＣＳ左旋円偏波の中間周波数帯、又はＢＳ右旋円偏波からＣＳ左旋円偏波の中間周波数帯である。
【００１７】
本発明の一態様は、上記の光伝送システムであって、前記第１の光送信部は、ＦＭ一括変換方式によって、入力された信号を前記第１の光信号へ変換し、前記第１の光受信部は、前記ＦＭ一括変更方式によって、前記第１の光信号を復調する。
【００１８】
本発明の一態様は、上記の光伝送システムであって、前記第２の光送信部は、ＦＭ一括変換方式によって、入力された信号を前記第２の光信号へ変換し、前記第２の光受信部は、前記ＦＭ一括変更方式によって、前記第２の光信号を復調する。
【００１９】
本発明の一態様は、光通信路を介して接続された送信装置と受信装置とを備える光伝送システムであって、前記送信装置は、キャリア変調信号を周波数多重した入力信号を分割したＭ個（Ｍ≧３）の周波数ブロックのうち、最も低周波数側の周波数ブロックの信号を第１の光波長を有する第１の光信号へ変換し、該第１の光信号を送信する第１の光送信部と、前記最も低周波数側の周波数ブロック以外の高周波数側のＭ−１個の周波数ブロックの信号をそれぞれ低周波数側の第２から第Ｍの信号へ周波数変換する第１から第Ｍ−１の周波数変換部と、前記低周波数側の第２から第Ｍの信号をそれぞれ第２から第Ｍの光波長を有する第２から第Ｍの光信号へ変換し、該第２から第Ｍの光信号を送信する第２から第Ｍの光送信部とを備え、前記受信装置は、前記第１の光信号を受信し、前記最も低周波数側の周波数ブロックの信号を出力する第１の光受信部と、前記第２から第Ｍの光信号をそれぞれ受信し、前記低周波数側の第２から第Ｍの信号を出力する第２の光受信部と、前記第２の光受信部が出力した前記低周波数側の第２から第Ｍの信号をそれぞれ前記高周波数側のＭ−１個の周波数ブロックの信号へ周波数変換する第１の周波数変換部とを備える、光伝送システムである。
【００２０】
本発明の一態様は、光通信路を介して接続された送信装置と受信装置とを備える光通信システムが実行する光伝送方法であって、前記送信装置が、キャリア変調信号を周波数多重した入力信号の低周波数側の第１の信号を第１の光波長を有する第１の光信号へ変換し、該第１の光信号を送信するステップと、前記送信装置が、前記入力信号の前記第１の信号とは異なる高周波数側の第２の信号を低周波数側の第２の信号へ周波数変換するステップと、前記送信装置が、前記低周波数側の第２の信号を第２の光波長を有する第２の光信号へ変換し、該第２の光信号を送信するステップと、前記受信装置が、前記第１の光信号を受信し、前記第１の信号を出力するステップと、前記受信装置が、前記第２の光信号を受信し、前記低周波数側の第２の信号を出力するステップと、前記受信装置が、前記低周波数側の第２の信号を前記高周波数側の第２の信号へ周波数変換するステップとを有する、光伝送方法である。
【００２１】
本発明の一態様は、光通信路を介して接続された送信装置と受信装置とを備える光伝送システムが実行する光伝送方法であって、前記送信装置が、キャリア変調信号を周波数多重した入力信号を分割したＭ個（Ｍ≧３）の周波数ブロックのうち、最も低周波数側の周波数ブロックの信号を第１の光波長を有する第１の光信号へ変換し、該第１の光信号を送信するステップと、前記送信装置が、前記最も低周波数側の周波数ブロック以外の高周波数側のＭ−１個の周波数ブロックの信号をそれぞれ低周波数側の第２から第Ｍの信号へ周波数変換するステップと、前記送信装置が、前記低周波数側の第２から第Ｍの信号をそれぞれ第２から第Ｍの光波長を有する第２から第Ｍの光信号へ変換し、該第２から第Ｍの光信号を送信するステップと、前記受信装置が、前記第１の光信号を受信し、前記最も低周波数側の周波数ブロックの信号を出力するステップと、前記受信装置が、前記第２から第Ｍの光信号をそれぞれ受信し、前記低周波数側の第２から第Ｍの信号を出力するステップと、前記受信装置が、前記低周波数側の第２から第Ｍの信号をそれぞれ前記高周波数側のＭ−１個の周波数ブロックの信号へ周波数変換するステップとを有する、光伝送方法である。
【発明の効果】
【００２２】
本発明により、配信チャンネルに、信号が追加される場合でも、非線形光学効果や光波長分散による品質劣化を受けにくくすることが可能となる。
【図面の簡単な説明】
【００２３】
【図１】第一実施形態に係る光伝送システムのシステム構成を示す図である。
【図２】第一実施形態に係る光伝送システムの動作を示すシーケンスチャートである。
【図３】第二実施形態に係る光伝送システムのシステム構成を示す図である。
【図４】第二実施形態に係る光伝送システムの動作を示すシーケンスチャートである。
【図５】第三実施形態に係る光伝送システムのシステム構成を示す図である。
【図６】第三実施形態に係る光伝送システムの動作を示すシーケンスチャートである。
【図７】光伝送システムのシステム構成を示す図である。
【発明を実施するための形態】
【００２４】
（実施形態１）
図１は、実施形態に係る光伝送システムを示す。光伝送システム１は、光送信側設備１００と光受信側設備２００とを備える。光送信側設備１００と光受信側設備２００とは、光ネットワーク５０等の光通信路を介して通信可能に接続される。光伝送システム１は、ベースバンド映像信号がＲＦ（Radio Frequency）キャリアによって変調されたＲＦ映像信号を複数個周波数多重した多チャンネルＲＦ映像信号を、光ファイバを媒体としてＰ−ｔｏ−Ｐ（point-to-point）伝送又はＰ−ｔｏ−ＭＰ（point-to-multipoint）配信する。
【００２５】
（光送信側設備）
光送信側設備１００は、ヘッドエンド設備１０２と第１の光送信部１０４と周波数変換部１０６と第２の光送信部１０８とＷＤＭフィルタ１１０とを備える。
ヘッドエンド設備１０２は、地上アナログ放送、地上デジタル放送、衛星（ＢＳ、ＣＳ）放送等を受信し、該放送のレベル調整や必要に応じて周波数変換等を行う。ヘッドエンド設備１０２は、ＶＨＦ／ＵＨＦ帯の映像信号、及び１ＧＨｚ〜２．１ＧＨｚ帯のＢＳ／ＣＳ１１０°衛星右旋円偏波中間周波数帯映像信号（以下、「衛星右旋ＩＦ信号」という。）を第１の光送信部１０４へ出力する。ここで、第１の光送信部１０４へ出力される信号は、ＶＨＦ／ＵＨＦ帯の映像信号と衛星右旋ＩＦ信号とが周波数多重された信号である。また、ヘッドエンド設備１０２は、２．２ＧＨｚ〜３．２ＧＨｚ帯のＢＳ／ＣＳ１１０°衛星左旋円偏波中間周波数帯映像信号（以下「衛星左旋ＩＦ信号」という。）を周波数変換部１０６へ出力する。
【００２６】
第１の光送信部１０４は、ヘッドエンド設備１０２が出力したＶＨＦ／ＵＨＦ帯の映像信号と衛星右旋ＩＦ信号とが周波数多重された信号を取得すると、該ＶＨＦ／ＵＨＦ帯の映像信号と該衛星右旋ＩＦ信号とが周波数多重された信号によって光源波長λ１’の光を強度変調することで、波長λ１’の光信号を生成する。第１の光送信部１０４は、該波長λ１’の光信号を、ＷＤＭフィルタ１１０へ出力する。
具体的には、第１の光送信部１０４は、強度変調方式によって、ＶＨＦ／ＵＨＦ帯の映像信号と該衛星右旋ＩＦ信号とが周波数多重された信号によって光源波長λ１’の光の強度をそのまま変調することによって、ＶＨＦ／ＵＨＦ帯の映像信号と該衛星右旋ＩＦ信号とが周波数多重された信号を波長λ１’の光信号へ変換する。
また、第１の光送信部１０４は、ＦＭ一括変換方式によって、ＶＨＦ／ＵＨＦ帯の映像信号と該衛星右旋ＩＦ信号とが周波数多重された信号を一括して広帯域なＦＭ信号に変換し、該広帯域ＦＭ信号によって光源波長λ１’の光の強度を変調することによって、ＶＨＦ／ＵＨＦ帯の映像信号と該衛星右旋ＩＦ信号とが周波数多重された信号を波長λ１’の光信号へ変換するようにしてもよい。
【００２７】
周波数変換部１０６は、ヘッドエンド設備１０２が出力した衛星左旋ＩＦ信号を取得すると、該衛星左旋ＩＦ信号を、衛星右旋ＩＦ信号と同じ周波数帯である１ＧＨｚ〜２．１ＧＨｚ、最低周波数がＶＨＦ／ＵＨＦ映像帯と同等である０．１ＧＨｚ〜１．２ＧＨｚ等の該衛星左旋ＩＦ信号より低周波側の周波数の信号へ変換する。周波数変換部１０６には、周波数変換後の周波数が予め設定されている。周波数変換部１０６は、低周波側の周波数へ変換した衛星左旋ＩＦ信号を、第２の光送信部１０８へ出力する。
【００２８】
第２の光送信部１０８は、周波数変換部１０６が出力した低周波側の周波数へ変換した衛星左旋ＩＦ信号を取得すると、該低周波側の周波数へ変換した衛星左旋ＩＦ信号によって光源波長λ２’の光を強度変調することで、波長λ２’の光信号を生成する。第２の光送信部１０８は、該波長λ２’の光信号を、ＷＤＭフィルタ１１０へ出力する。
具体的には、第２の光送信部１０８は、強度変調方式によって、低周波側の周波数へ変換した衛星左旋ＩＦ信号によって光源波長λ２’の光の強度をそのまま変調することによって、低周波側の周波数へ変換した衛星左旋ＩＦ信号を波長λ２’の光信号へ変換する。
また、第２の光送信部１０８は、ＦＭ一括変換方式によって、低周波側の周波数へ変換した衛星左旋ＩＦ信号を一括して広帯域なＦＭ信号に変換し、該広帯域ＦＭ信号によって光源波長λ２’の光の強度を変調することによって、低周波側の周波数へ変換した衛星左旋ＩＦ信号を波長λ２’の光信号へ変換するようにしてもよい。
【００２９】
ＷＤＭフィルタ１１０は、第１の光送信部１０４が出力した波長λ１’の光信号と第２の光送信部１０８が出力した波長λ２’の光信号とを取得すると、該波長λ１’の光信号と該波長λ２’の光信号とを波長多重する。ＷＤＭフィルタ１１０は、該波長λ１’の光信号と該波長λ２’の光信号とを波長多重した光信号を、光ネットワーク５０へ送出する。
【００３０】
（光受信側設備）
光受信側設備２００は、ＷＤＭフィルタ２０２と第１の光受信部２０４と第２の光受信部２０６と周波数再変換部２０８とを備える。
ＷＤＭフィルタ２０２は、光ネットワーク５０からの光信号を、波長λ１’の光信号と波長λ２’の光信号とに分離する。ＷＤＭフィルタ２０２は、波長λ１’の光信号を第１の光受信部２０４へ出力し、波長λ２’の光信号を第２の光受信部２０６へ出力する。
【００３１】
第１の光受信部２０４は、ＷＤＭフィルタ２０２が出力した波長λ１’の光信号を取得すると、該波長λ１’の光信号を電気信号へ変換する。第１の光受信部２０４は、該波長λ１’の光信号を電気信号へ変換することによって、ＶＨＦ／ＵＨＦ帯の映像信号、及び衛星右旋ＩＦ信号を取得する。
具体的には、第１の光受信部２０４は、第１の光送信部１０４が強度変調方式によって、ＶＨＦ／ＵＨＦ帯の映像信号と衛星右旋ＩＦ信号とが周波数多重された信号を変換することで得られる波長λ１’の光信号を復調する。
また、第１の光受信部２０４は、第１の光送信部１０４がＦＭ一括変換方式によって、ＶＨＦ／ＵＨＦ帯の映像信号と衛星右旋ＩＦ信号とが周波数多重された信号を変換することで得られる波長λ１’の光信号を復調するようにしてもよい。
【００３２】
第２の光受信部２０６は、ＷＤＭフィルタ２０２が出力した波長λ２’の信号を取得すると、該波長λ２’の信号を電気信号へ変換する。第２の光受信部２０６は、該電気信号を、周波数再変換部２０８へ出力する。
具体的には、第２の光受信部２０６は、第２の光送信部１０８が強度変調方式によって、低周波側の周波数へ変換した衛星左旋ＩＦ信号を変換することで得られる波長λ２’の光信号を復調する。
また、第２の光受信部２０６は、第２の光送信部１０８がＦＭ一括変換方式によって、低周波側の周波数へ変換した衛星左旋ＩＦ信号を変換することで得られる波長λ２’の光信号を復調するようにしてもよい。
【００３３】
周波数再変換部２０８は、第２の光受信部２０６が出力した電気信号を取得すると、該電気信号を２．２ＧＨｚ〜３．２ＧＨｚ等の該電気信号より高周波側の周波数へ変換する。周波数再変換部２０８は、該電気信号に対して、光送信側設備１００の周波数変換部１０６の周波数変換とは逆に、低周波側の周波数の信号を高周波側の周波数の信号へ変換する。周波数再変換部２０８には、周波数変換後の周波数が予め設定されている。
【００３４】
（光伝送システムの動作）
図２は、実施形態に係る光伝送システムの動作の一例を示すシーケンスチャートである。
ステップＳ２０１では、光送信側設備１００の第１の光送信部１０４は、ヘッドエンド設備１０２が出力したＶＨＦ／ＵＨＦ帯の映像信号と衛星右旋ＩＦ信号とが周波数多重された信号を波長λ１’の光信号に変換し、該波長λ１’の光信号を、ＷＤＭフィルタ１１０へ出力する。
ステップＳ２０２では、光送信側設備１００の周波数変換部１０６は、ヘッドエンド設備１０２が出力した衛星左旋ＩＦ信号を、該衛星左旋ＩＦ信号より低周波側の周波数へ変換し、該低周波側の周波数へ変換した衛星左旋ＩＦ信号を、第２の光送信部１０８へ出力する。
【００３５】
ステップＳ２０３では、光送信側設備１００の第２の光送信部１０８は、周波数変換部１０６が出力した低周波側の周波数へ変換した衛星左旋ＩＦ信号を波長λ２’の光信号に変換し、該波長λ２’の光信号を、ＷＤＭフィルタ１１０へ出力する。
ステップＳ２０４では、光送信側設備１００のＷＤＭフィルタ１１０は、第１の光送信部１０４が出力した波長λ１’の光信号と第２の光送信部１０８が出力した波長λ２’の光信号とを波長多重し、該波長λ１’の光信号と該波長λ２’の光信号とを波長多重した信号を、光ネットワーク５０へ送出する。
【００３６】
ステップＳ２０５では、光受信側設備２００のＷＤＭフィルタ２０２は、光ネットワーク５０からの光信号を、波長λ１’の光信号と波長λ２’の光信号とに分離する。ＷＤＭフィルタ２０２は、波長λ１’の光信号を第１の光受信部２０４へ出力し、波長λ２’の光信号を第２の光受信部２０６へ出力する。
ステップＳ２０６では、光受信側設備２００の第１の光受信部２０４は、ＷＤＭフィルタ２０２が出力した波長λ１’の光信号を受信すると、該波長λ１’の光信号を電気信号へ変換する。
【００３７】
ステップＳ２０７では、光受信側設備２００の第２の光受信部２０６は、ＷＤＭフィルタ２０２が出力した波長λ２’の信号を受信すると、該波長λ２’の信号を電気信号へ変換する。
ステップＳ２０８では、光受信側設備２００の周波数再変換部２０８は、第２の光受信部２０６が出力した電気信号を取得すると、該電気信号を、周波数変換することによって衛星左旋ＩＦ信号に変換する。
【００３８】
前述した実施形態では、ヘッドエンド設備１０２から、ＶＨＦ／ＵＨＦ帯の映像信号及び衛星右旋ＩＦ信号と、衛星左旋ＩＦ信号との二系統に分かれて出力される場合について説明したが、この例に限られない。例えば、ヘッドエンド設備１０２から、ＶＨＦ／ＵＨＦ帯の映像信号と衛星右旋ＩＦ信号と衛星左旋ＩＦ信号とが周波数多重された一系統の信号が出力されるようにしてもよい。この場合、ヘッドエンド設備１０２の後段に、一系統の信号を二系統の信号に分割する帯域分割部が設けられる。帯域分割部は、ＶＨＦ／ＵＨＦ帯の映像信号と衛星右旋ＩＦ信号と衛星左旋ＩＦ信号とが周波数多重された一系統の信号を、ＶＨＦ／ＵＨＦ帯の映像信号及び衛星右旋ＩＦ信号と、衛星左旋ＩＦ信号との二系統に分割する。帯域分割部は、ＶＨＦ／ＵＨＦ帯の映像信号及び衛星右旋ＩＦ信号を第１の光送信部１０４へ出力し、衛星左旋ＩＦ信号を周波数変換部１０６へ出力する。
前述した実施形態では、ＷＤＭフィルタ１１０が、波長λ１’の光信号と波長λ２’の光信号とを波長多重することによって得られた信号が、光ネットワーク５０へ送信される場合について説明したが、この例に限られない。例えば、ＷＤＭフィルタ１１０を使用することなく、ファイバ二心で伝送するようにしてもよい。このように構成することによって、光送信側設備１００にＷＤＭフィルタ１１０を不要にできるとともに、光受信側設備２００においてもＷＤＭフィルタ２０２を不要にできる。
【００３９】
実施形態に係る光伝送システムによれば、強度変調方式によって、多チャンネル映像信号が変換された光信号を光ファイバで伝送する場合、キャリア周波数が高い衛星左旋ＩＦ信号を低周波側の周波数の信号へ変換する。このように構成することによって、キャリア周波数を低くすることができるため、非線形光学効果や光波長分散による信号の品質劣化を低減できる。このため、配信チャンネルに、衛星左旋ＩＦ信号が追加される場合でも、非線形光学効果や光波長分散による品質劣化を受けにくくすることができる。
また、実施形態に係る光伝送システムによれば、ＦＭ一括変換方式によって、多チャンネル映像信号が変換された光信号を光ファイバで伝送する場合、キャリア周波数が高い衛星左旋ＩＦ信号を低周波側の周波数へ変換する。このように構成することによって、キャリア周波数を低くすることができるため、非線形光学効果や光波長分散による信号の品質劣化を低減できる。このため、配信チャンネルに、衛星左旋ＩＦ信号が追加される場合でも、非線形光学効果や光波長分散による品質劣化を受けにくくすることができる。さらに、伝送する信号の帯域の最大周波数を低くすることができるため、伝送する信号の最大周波数がＦＭの搬送波周波数である３±０．５ＧＨｚの範囲から遠ざけることができる。これによって、ＦＭ復調前の信号がＦＭ復調後の信号に漏れ込む影響を低減できる。
【００４０】
（実施形態２）
図３は、実施形態に係る光伝送システムを示す。光伝送システム２は、光送信側設備３００と光受信側設備４００とを備える。光送信側設備３００と光受信側設備４００とは、光ネットワーク５０等の光通信路を介して通信可能に接続される。光伝送システム２は、ベースバンド映像信号がＲＦキャリアによって変調されたＲＦ映像信号を複数個周波数多重した多チャンネルＲＦ映像信号を、光ファイバを媒体としてＰ−ｔｏ−Ｐ伝送又はＰ−ｔｏ−ＭＰ配信する。具体的には、光送信側設備３００は、地上デジタル放送が送信されるＵＨＦ帯の映像信号と衛星右旋ＩＦ信号と衛星左旋ＩＦ信号とを、光受信側設備４００へ送信する。
【００４１】
（光送信側設備）
光送信側設備３００は、ヘッドエンド設備３０２と第１の周波数変換部３１２と第１の光送信部３０４と第２の周波数変換部３０６と第２の光送信部３０８とＷＤＭフィルタ３１０とを備える。
ヘッドエンド設備３０２は、ヘッドエンド設備１０２と同様、地上アナログ放送、地上デジタル放送、衛星（ＢＳ、ＣＳ）放送等を受信し、該放送のレベル調整や必要に応じて周波数変換等を行う。ただし、ヘッドエンド設備３０２は、４００ＭＨｚ〜７７０ＭＨｚのＵＨＦ帯の映像信号を第１の周波数変換部３１２へ出力する。また、ヘッドエンド設備３０２は、１ＧＨｚ〜２．１ＧＨｚ帯の衛星右旋ＩＦ信号、及び２．２ＧＨｚ〜３．２ＧＨｚ帯の衛星左旋ＩＦ信号を第２の周波数変換部３０６へ出力する。ここで、第２の周波数変換部３０６へ出力される信号は、１ＧＨｚ〜２．１ＧＨｚ帯の衛星右旋ＩＦ信号と、２．２ＧＨｚ〜３．２ＧＨｚ帯の衛星左旋ＩＦ信号とが周波数多重された信号である。
【００４２】
第１の周波数変換部３１２は、ヘッドエンド設備３０２が出力したＵＨＦ帯の映像信号を取得すると、該ＵＨＦ帯の映像信号を、該ＵＨＦ帯の映像信号より低周波側の周波数の信号へ変換する。第１の周波数変換部３１２には、周波数変換後の周波数が予め設定されている。第１の周波数変換部３１２は、低周波側の周波数へ変換したＵＨＦ帯の映像信号を、第１の光送信部３０４へ出力する。
【００４３】
第１の光送信部３０４は、第１の周波数変換部３１２が出力した低周波側の周波数へ変換したＵＨＦ帯の映像信号を取得すると、該低周波側の周波数へ変換したＵＨＦ帯の映像信号によって光源波長λ１’’の光を強度変調することで、波長λ１’’の光信号を生成する。第１の光送信部３０４は、該波長λ１’’の光信号を、ＷＤＭフィルタ３１０へ出力する。
具体的には、第１の光送信部３０４は、強度変調方式によって、低周波側の周波数へ変換したＵＨＦ帯の映像信号によって光源波長λ１’’の光の強度をそのまま変調することによって、低周波側の周波数へ変換したＵＨＦ帯の映像信号を波長λ１’’の光信号へ変換する。
また、第１の光送信部３０４は、ＦＭ一括変換方式によって、低周波側の周波数へ変換したＵＨＦ帯の映像信号を一括して広帯域なＦＭ信号に変換し、該広帯域ＦＭ信号によって光源波長λ１’’の光の強度を変調することによって、低周波側の周波数へ変換した衛星左旋ＩＦ信号を波長λ１’’の光信号へ変換するようにしてもよい。
【００４４】
第２の周波数変換部３０６は、ヘッドエンド設備３０２が出力した衛星右旋ＩＦ信号と衛星左旋ＩＦ信号とが周波数多重された信号を取得すると、該衛星右旋ＩＦ信号と衛星左旋ＩＦ信号とが周波数多重された信号を、該周波数多重された信号より低周波側の周波数の信号へ変換する。第２の周波数変換部３０６には、周波数変換後の周波数が予め設定されている。第２の周波数変換部３０６は、低周波側の周波数へ変換した衛星右旋ＩＦ信号と衛星左旋ＩＦ信号とが周波数多重された信号を、第２の光送信部３０８へ出力する。
【００４５】
第２の光送信部３０８は、第２の周波数変換部３０６が出力した低周波側の周波数へ変換した衛星右旋ＩＦ信号と衛星左旋ＩＦ信号とが周波数多重された信号を取得すると、該低周波側の周波数へ変換した衛星右旋ＩＦ信号と衛星左旋ＩＦ信号とが周波数多重された信号によって光源波長λ２’’の光を強度変調することで、波長λ２’’の光信号を生成する。第２の光送信部３０８は、該波長λ２’’の光信号を、ＷＤＭフィルタ３１０へ出力する。
具体的には、第２の光送信部３０８は、強度変調方式によって、低周波側の周波数へ変換した衛星右旋ＩＦ信号と衛星左旋ＩＦ信号とが周波数多重された信号によって光源波長λ２’’の光の強度をそのまま変調することによって、低周波側の周波数へ変換した衛星右旋ＩＦ信号と衛星左旋ＩＦ信号とが周波数多重された信号を波長λ２’’の光信号へ変換する。
また、第２の光送信部３０８は、ＦＭ一括変換方式によって、低周波側の周波数へ変換した衛星右旋ＩＦ信号と衛星左旋ＩＦ信号とが周波数多重された信号を一括して広帯域なＦＭ信号に変換し、該広帯域ＦＭ信号によって光源波長λ２’’の光の強度を変調することによって、低周波側の周波数へ変換した衛星右旋ＩＦ信号と衛星左旋ＩＦ信号とが周波数多重された信号を波長λ２’’の光信号へ変換するようにしてもよい。
【００４６】
ＷＤＭフィルタ３１０は、第１の光送信部３０４が出力した波長λ１’’の光信号と第２の光送信部３０８が出力した波長λ２’’の光信号とを取得すると、該波長λ１’’の光信号と該波長λ２’’の光信号とを波長多重する。ＷＤＭフィルタ３１０は、該波長λ１’’の光信号と該波長λ２’’の光信号とを波長多重することによって得られた光信号を、光ネットワーク５０へ送出する。
【００４７】
（光受信側設備）
光受信側設備４００は、ＷＤＭフィルタ４０２と第１の光受信部４０４と第１の周波数再変換部４１０と第２の光受信部４０６と第２の周波数再変換部４０８とを備える。
ＷＤＭフィルタ４０２は、光ネットワーク５０からの光信号を、波長λ１’’の光信号と波長λ２’’の光信号とに分離する。ＷＤＭフィルタ４０２は、波長λ１’’の光信号を第１の光受信部４０４へ出力し、波長λ２’’の光信号を第２の光受信部４０６へ出力する。
【００４８】
第１の光受信部４０４は、ＷＤＭフィルタ４０２が出力した波長λ１’’の光信号を取得すると、該波長λ１’’の光信号を電気信号へ変換する。第１の光受信部４０４は、該電気信号を、第１の周波数再変換部４１０へ出力する。
具体的には、第１の光受信部４０４は、第１の光送信部３０４が強度変調方式によって、低周波側の周波数へ変換したＵＨＦ帯の映像信号を変換することで得られる波長λ１’’の光信号を復調する。
また、第１の光受信部４０４は、第１の光送信部３０４がＦＭ一括変換方式によって、低周波側の周波数へ変換したＵＨＦ帯の映像信号を変換することで得られる波長λ１’’の光信号を復調するようにしてもよい。
【００４９】
第１の周波数再変換部４１０は、第１の光受信部４０４が出力した電気信号を取得すると、該電気信号を４００ＭＨｚ〜７７０ＭＨｚ等の該電気信号より高周波側の周波数へ変換する。第１の周波数再変換部４１０には、周波数変換後の周波数が予め設定されている。
【００５０】
第２の光受信部４０６は、ＷＤＭフィルタ４０２が出力した波長λ２’’の信号を取得すると、該波長λ２’’の信号を電気信号へ変換する。第２の光受信部４０６は、該電気信号を、第２の周波数再変換部４０８へ出力する。
具体的には、第２の光受信部４０６は、第２の光送信部３０８が強度変調方式によって、低周波側の周波数へ変換した衛星右旋ＩＦ信号と衛星左旋ＩＦ信号とが周波数多重された信号を変換することで得られる波長λ２’’の光信号を復調する。
また、第２の光受信部４０６は、第２の光送信部３０８がＦＭ一括変換方式によって、低周波側の周波数へ変換した衛星右旋ＩＦ信号と衛星左旋ＩＦ信号とが周波数多重された信号を変換することで得られる波長λ２’’の光信号を復調するようにしてもよい。
【００５１】
第２の周波数再変換部４０８は、第２の光受信部４０６が出力した電気信号を取得すると、該電気信号を１ＧＨｚ〜３．２ＧＨｚ等の該電気信号より高周波側の周波数へ変換する。第２の周波数再変換部４０８には、周波数変換後の周波数が予め設定されている。
【００５２】
（光伝送システムの動作）
図４は、実施形態に係る光伝送システムの動作の一例を示すシーケンスチャートである。
ステップＳ４０１では、光送信側設備３００の第１の周波数変換部３１２は、ヘッドエンド設備３０２が出力したＵＨＦ帯の映像信号を、該ＵＨＦ帯の映像信号より低周波側の周波数へ変換し、該低周波側の周波数へ変換したＵＨＦ帯の映像信号を、第１の光送信部３０４へ出力する。
ステップＳ４０２では、光送信側設備３００の第１の光送信部３０４は、第１の周波数変換部３１２が出力した低周波側の周波数へ変換したＵＨＦ帯の映像信号を波長λ１’’の光信号に変換し、該波長λ１’’の光信号を、ＷＤＭフィルタ３１０へ出力する。
【００５３】
ステップＳ４０３では、光送信側設備３００の第２の周波数変換部３０６は、ヘッドエンド設備３０２が出力した衛星右旋ＩＦ信号と衛星左旋ＩＦ信号とが周波数多重された信号を、該波長多重された信号より低周波側の周波数へ変換し、該低周波側の周波数へ変換した衛星右旋ＩＦ信号と衛星左旋ＩＦ信号とが周波数多重された信号を、第２の光送信部３０８へ出力する。
ステップＳ４０４では、光送信側設備３００の第２の光送信部３０８は、第２の周波数変換部３０６が出力した低周波側の周波数へ変換した衛星右旋ＩＦ信号と衛星左旋ＩＦ信号とが周波数多重された信号を波長λ２’’の光信号に変換し、該波長λ２’’の光信号を、ＷＤＭフィルタ３１０へ出力する。
ステップＳ４０５では、光送信側設備３００のＷＤＭフィルタ３１０は、第１の光送信部３０４が出力した波長λ１’’の光信号と第２の光送信部３０８が出力した波長λ２’’の光信号とを波長多重し、該波長λ１’’の光信号と該波長λ２’’の光信号とを波長多重した信号を、光ネットワーク５０へ送出する。
【００５４】
ステップＳ４０６では、光受信側設備４００のＷＤＭフィルタ４０２は、光ネットワーク５０からの信号を、波長λ１’’の光信号と波長λ２’’の光信号とに分離する。ＷＤＭフィルタ４０２は、波長λ１’’の光信号を第１の光受信部４０４へ出力し、波長λ２’’の光信号を第２の光受信部４０６へ出力する。
ステップＳ４０７では、光受信側設備４００の第１の光受信部４０４は、ＷＤＭフィルタ４０２が出力した波長λ１’’の信号を受信すると、該波長λ１’’の信号を電気信号へ変換する。
ステップＳ４０８では、光受信側設備４００の第１の周波数再変換部４１０は、第１の光受信部４０４が出力した電気信号を取得すると、該電気信号を、周波数変換することによってＵＨＦ帯の映像信号に変換する。
【００５５】
ステップＳ４０９では、光受信側設備４００の第２の光受信部４０６は、ＷＤＭフィルタ４０２が出力した波長λ２’’の信号を受信すると、該波長λ２’’の信号を電気信号へ変換する。
ステップＳ４１０では、光受信側設備４００の第２の周波数再変換部４０８は、第２の光受信部４０６が出力した電気信号を取得すると、該電気信号を、周波数変換することによって衛星右旋ＩＦ信号と衛星左旋ＩＦ信号とが周波数多重された信号に変換する。
前述した実施形態では、ヘッドエンド設備３０２から、ＵＨＦ帯の映像信号と、衛星右旋ＩＦ信号及び衛星左旋ＩＦ信号との二系統に分かれて出力される場合について説明したが、この例に限られない。例えば、ヘッドエンド設備３０２から、ＵＨＦ帯の映像信号と衛星右旋ＩＦ信号と衛星左旋ＩＦ信号とが周波数多重された一系統の信号が出力されるようにしてもよい。この場合、ヘッドエンド設備３０２の後段に、一系統の信号を二系統の信号に分割する帯域分割部が設けられる。帯域分割部は、ＵＨＦ帯の映像信号と衛星右旋ＩＦ信号と衛星左旋ＩＦ信号とが周波数多重された一系統の信号を、ＵＨＦ帯の映像信号と、衛星右旋ＩＦ信号及び衛星左旋ＩＦ信号との二系統に分割する。帯域分割部は、ＵＨＦ帯の映像信号を第１の周波数変換部３１２へ出力し、衛星右旋ＩＦ信号及び衛星左旋ＩＦ信号を第２の周波数変換部３０６へ出力する。
前述した実施形態では、ＷＤＭフィルタ３１０が、波長λ１’’の光信号と波長λ２’’の光信号とを波長多重することによって得られた信号が、光ネットワーク５０へ送信される場合について説明したが、この例に限られない。例えば、ＷＤＭフィルタ３１０を使用することなく、ファイバ二心で伝送するようにしてもよい。このように構成することによって、光送信側設備３００にＷＤＭフィルタ３１０を不要にできるとともに、光受信側設備４００においてもＷＤＭフィルタ４０２を不要にできる。
本実施形態に係る光伝送システムによれば、低周波側の信号を伝送する波長λ１’’の系統に対しても周波数変換を行った後に光伝送することによって、光伝送区間における光信号の劣化を低減できる。ＵＨＦ帯映像信号の変調方式によってはその要求品質が高く、またヘッドエンド設備から映像受信機等の光受信側設備までの区間の品質設計を行った結果、光伝送区間における光信号の劣化を低減したい場合等に特に有効である。
【００５６】
（実施形態３）
図５は、実施形態に係る光伝送システムを示す。光伝送システム３は、光送信側設備５００と光受信側設備６００とを備える。光送信側設備５００と光受信側設備６００とは、光ネットワーク５０等の通信網を介して通信可能に接続される。光伝送システム３は、ベースバンド映像信号がＲＦキャリアによって変調されたＲＦ映像信号を複数個周波数多重した多チャンネルＲＦ映像信号を、光ファイバを媒体としてＰ−ｔｏ−Ｐ伝送又はＰ−ｔｏ−ＭＰ配信する。具体的には、光送信側設備５００は、地上デジタル放送が送信されるＵＨＦ帯の映像信号と衛星右旋ＩＦ信号と衛星左旋ＩＦ信号とを、光受信側設備６００へ送信する。
【００５７】
（光送信側設備）
光送信側設備５００は、ヘッドエンド設備５０２と第１の光送信部５０４と第１の周波数変換部５０６と第２の光送信部５０８と第２の周波数変換部５１２と第３の光送信部５１４とＷＤＭフィルタ５１０とを備える。光送信側設備５００は、ヘッドエンド設備５０２が出力する地上デジタル放送で使用される４００ＭＨｚ〜７７０ＭＨｚのＵＨＦ帯の映像信号、１ＧＨｚ〜２．１ＧＨｚ帯の衛星右旋ＩＦ信号、及び２．２ＧＨｚ〜３．２ＧＨｚ帯の衛星左旋ＩＦ信号を光受信側設備６００へ光伝送する。
【００５８】
ヘッドエンド設備５０２は、ヘッドエンド設備１０２と同様、地上アナログ放送、地上デジタル放送、衛星（ＢＳ、ＣＳ）放送等を受信し、該放送のレベル調整や必要に応じて周波数変換等を行う。ただし、ヘッドエンド設備５０２は、伝送する信号の帯域を、ＵＨＦ帯の映像信号の４００ＭＨｚ〜７７０ＭＨｚ、衛星右旋ＩＦ信号の１ＧＨｚ〜２．１ＧＨｚ、及び衛星左旋ＩＦ信号の２．２ＧＨｚ〜３．２ＧＨｚの三個のブロックに分割する。ヘッドエンド設備５０２は、ＵＨＦ帯の映像信号を第１の光送信部５０４へ出力し、衛星右旋ＩＦ信号を第１の周波数変換部５０６へ出力し、衛星左旋ＩＦ信号を第２の周波数変換部５１２へ出力する。
【００５９】
第１の光送信部５０４は、ヘッドエンド設備５０２が出力したＵＨＦ帯の映像信号を取得すると、該ＵＨＦ帯の映像信号を波長λ１’’’の光信号に変換する。第１の光送信部５０４は、該波長λ１’’’の光信号を、ＷＤＭフィルタ５１０へ出力する。
具体的には、第１の光送信部５０４は、強度変調方式によって、ＵＨＦ帯の映像信号によって光源波長λ１’’’の光の強度をそのまま変調することによって、ＵＨＦ帯の映像信号を波長λ１’’’の光信号へ変換する。
また、第１の光送信部５０４は、ＦＭ一括変換方式によって、ＵＨＦ帯の映像信号を一括して広帯域なＦＭ信号に変換し、該広帯域ＦＭ信号によって光源波長λ１’’’の光の強度を変調することによって、ＵＨＦ帯の映像信号を波長λ１’’’の光信号へ変換するようにしてもよい。
【００６０】
第１の周波数変換部５０６は、ヘッドエンド設備５０２が出力した衛星右旋ＩＦ信号を取得すると、該衛星右旋ＩＦ信号を、該衛星右旋ＩＦ信号より低周波側の周波数の信号へ変換する。第１の周波数変換部５０６には、周波数変換後の周波数が予め設定されている。第１の周波数変換部５０６は、低周波側の周波数へ変換した衛星右旋ＩＦ信号を、第２の光送信部５０８へ出力する。
【００６１】
第２の光送信部５０８は、第１の周波数変換部５０６が出力した低周波側の周波数へ変換した衛星右旋ＩＦ信号を取得すると、該低周波側の周波数へ変換した衛星右旋ＩＦ信号を波長λ２’’’の光信号に変換する。第２の光送信部５０８は、該波長λ２’’’の光信号を、ＷＤＭフィルタ５１０へ出力する。
具体的には、第２の光送信部５０８は、強度変調方式によって、低周波側の周波数へ変換した衛星右旋ＩＦ信号によって光源波長λ２’’’の光の強度をそのまま変調することによって、低周波側の周波数へ変換した衛星右旋ＩＦ信号を波長λ２’’’の光信号へ変換する。
また、第２の光送信部５０８は、ＦＭ一括変換方式によって、低周波側の周波数へ変換した衛星右旋ＩＦ信号を一括して広帯域なＦＭ信号に変換し、該広帯域ＦＭ信号によって光源波長λ２’’’の光の強度を変調することによって、低周波側の周波数へ変換した衛星右旋ＩＦ信号を波長λ２’’’の光信号へ変換するようにしてもよい。
【００６２】
第２の周波数変換部５１２は、ヘッドエンド設備５０２が出力した衛星左旋ＩＦ信号を取得すると、該衛星左旋ＩＦ信号を、該衛星左旋ＩＦ信号より低周波側の周波数の信号へ変換する。第２の周波数変換部５１２には、周波数変換後の周波数が予め設定されている。第２の周波数変換部５１２は、低周波側の周波数へ変換した該衛星左旋ＩＦ信号を、第３の光送信部５１４へ出力する。
【００６３】
第３の光送信部５１４は、第２の周波数変換部５１２が出力した低周波側の周波数へ変換した衛星左旋ＩＦ信号を取得すると、該低周波側の周波数へ変換した衛星左旋ＩＦ信号を波長λ３’’’の光信号に変換する。第３の光送信部５１４は、該波長λ３’’’の光信号を、ＷＤＭフィルタ５１０へ出力する。
具体的には、第３の光送信部５１４は、強度変調方式によって、低周波側の周波数へ変換した衛星左旋ＩＦ信号によって光源波長λ３’’’の光の強度をそのまま変調することによって、低周波側の周波数へ変換した衛星左旋ＩＦ信号を波長λ３’’’の光信号へ変換する。
また、第３の光送信部５１４は、ＦＭ一括変換方式によって、低周波側の周波数へ変換した衛星左旋ＩＦ信号を一括して広帯域なＦＭ信号に変換し、該広帯域ＦＭ信号によって光源波長λ３’’’の光の強度を変調することによって、低周波側の周波数へ変換した衛星左旋ＩＦ信号を波長λ３’’’の光信号へ変換するようにしてもよい。
【００６４】
ＷＤＭフィルタ５１０は、第１の光送信部５０４が出力した波長λ１’’’の光信号と第２の光送信部５０８が出力した波長λ２’’’の光信号と第３の光送信部５１４が出力した波長λ３’’’の光信号とを取得すると、該波長λ１’’’の光信号と該波長λ２’’’の光信号と該波長λ３’’’の光信号とを波長多重する。ＷＤＭフィルタ５１０は、該波長λ１’’’の光信号と該波長λ２’’’の光信号と該波長λ３’’’の光信号とが波長多重された光信号を、光ネットワーク５０へ送出する。
【００６５】
（光受信側設備）
光受信側設備６００は、ＷＤＭフィルタ６０２と第１の光受信部６０４と第２の光受信部６０６と第１の周波数再変換部６０８と第３の光受信部６１０と第２の周波数再変換部６１２とを備える。
ＷＤＭフィルタ６０２は、光ネットワーク５０からの信号を、波長λ１’’’の信号と波長λ２’’’の信号と波長λ３’’’の信号とに分離する。ＷＤＭフィルタ６０２は、波長λ１’’’の信号を第１の光受信部６０４へ出力し、波長λ２’’’の信号を第２の光受信部６０６へ出力し、波長λ２’’’の信号を第３の光受信部６１０へ出力する。
【００６６】
第１の光受信部６０４は、ＷＤＭフィルタ６０２が出力した波長λ１’’’の光信号を取得すると、該波長λ１’’’の光信号を電気信号へ変換することによってＵＨＦ帯の映像信号を得る。
具体的には、第１の光受信部６０４は、第１の光送信部５０４が強度変調方式によって、ＵＨＦ帯の映像信号を変換することで得られる波長λ１’’’の光信号を復調する。
また、第１の光受信部６０４は、第１の光送信部５０４がＦＭ一括変換方式によって、ＵＨＦ帯の映像信号を変換することで得られる波長λ１’’’の光信号を復調するようにしてもよい。
第２の光受信部６０６は、ＷＤＭフィルタ６０２が出力した波長λ２’’’の光信号を取得すると、該波長λ２’’’の信号を電気信号へ変換する。第２の光受信部６０６は、該電気信号を、第１の周波数再変換部６０８へ出力する。
具体的には、第２の光受信部６０６は、第２の光送信部５０８が強度変調方式によって、低周波側の周波数へ変換した衛星右旋ＩＦ信号を変換することで得られる波長λ２’’’の光信号を復調する。
また、第２の光受信部６０６は、第２の光送信部５０８がＦＭ一括変換方式によって、低周波側の周波数へ変換した衛星右旋ＩＦ信号を変換することで得られる波長λ２’’’の光信号を復調するようにしてもよい。
【００６７】
第１の周波数再変換部６０８は、第２の光受信部６０６が出力した電気信号を取得すると、該電気信号を１ＧＨｚ〜２．１ＧＨｚ等の該電気信号より高周波側の周波数へ変換する。第１の周波数再変換部６０８には、周波数変換後の周波数が予め設定されている。
【００６８】
第３の光受信部６１０は、ＷＤＭフィルタ６０２が出力した波長λ３’’’の光信号を取得すると、該波長λ３’’’の信号を電気信号へ変換する。第３の光受信部６１０は、該電気信号を、第２の周波数再変換部６１２へ出力する。
具体的には、第３の光受信部６１０は、第３の光送信部５１４が強度変調方式によって、低周波側の周波数へ変換した衛星左旋ＩＦ信号を変換することで得られる波長λ３’’’の光信号を復調する。
また、第３の光受信部６１０は、第３の光送信部５１４がＦＭ一括変換方式によって、低周波側の周波数へ変換した衛星左旋ＩＦ信号を変換することで得られる波長λ３’’’の光信号を復調するようにしてもよい。
第２の周波数再変換部６１２は、第３の光受信部６１０が出力した電気信号を取得すると、該電気信号を２．２ＧＨｚ〜３．２ＧＨｚ等の該電気信号より高周波側の周波数へ変換する。第２の周波数再変換部６１２には、周波数変換後の周波数が予め設定されている。
【００６９】
（光伝送システムの動作）
図６は、実施形態に係る光伝送システムの動作の一例を示すシーケンスチャートである。
ステップＳ６０１では、光送信側設備５００の第１の光送信部５０４は、ヘッドエンド設備５０２が出力したＵＨＦ帯の映像信号を波長λ１’’’の光信号に変換し、該波長λ１’’’の光信号を、ＷＤＭフィルタ５１０へ出力する。
ステップＳ６０２では、光送信側設備５００の第１の周波数変換部５０６は、ヘッドエンド設備５０２が出力した衛星右旋ＩＦ信号を、該衛星右旋ＩＦ信号より低周波側の周波数へ変換し、該低周波側の周波数へ変換した衛星右旋ＩＦ信号を、第２の光送信部５０８へ出力する。
【００７０】
ステップＳ６０３では、光送信側設備５００の第２の光送信部５０８は、第１の周波数変換部５０６が出力した低周波側の周波数へ変換した衛星右旋ＩＦ信号を波長λ２’’’の光信号に変換し、該波長λ２’’’の光信号を、ＷＤＭフィルタ５１０へ出力する。
ステップＳ６０４では、光送信側設備５００の第２の周波数変換部５１２は、ヘッドエンド設備５０２が出力した衛星左旋ＩＦ信号を、該衛星左旋ＩＦ信号より低周波側の周波数へ変換し、該低周波側の周波数へ変換した衛星左旋ＩＦ信号を、第３の光送信部５１４へ出力する。
ステップＳ６０５では、光送信側設備５００の第３の光送信部５１４は、第２の周波数変換部５１２が出力した低周波側の周波数へ変換した衛星左旋ＩＦ信号を波長λ３’’’の光信号に変換し、該波長λ３’’’の光信号を、ＷＤＭフィルタ５１０へ出力する。
【００７１】
ステップＳ６０６では、光送信側設備５００のＷＤＭフィルタ５１０は、第１の光送信部５０４が出力した波長λ１’’’の光信号と第２の光送信部５０８が出力した波長λ２’’’の光信号と第３の光送信部５１４が出力した波長λ３’’’の光信号とを波長多重し、該波長λ１’’’の光信号と該波長λ２’’’の光信号と該波長λ３’’’の光信号とを波長多重した光信号を、光ネットワーク５０へ送出する。
ステップＳ６０７では、光受信側設備６００のＷＤＭフィルタ６０２は、光ネットワーク５０からの光信号を、波長λ１’’’の光信号と波長λ２’’’の光信号と波長λ３’’’の光信号とに分離する。ＷＤＭフィルタ６０２は、波長λ１’’’の光信号を第１の光受信部６０４へ出力し、波長λ２’’’の光信号を第２の光受信部６０６へ出力し、波長λ３’’’の光信号を第３の光受信部６１０へ出力する。
【００７２】
ステップＳ６０８では、光受信側設備６００の第１の光受信部６０４は、ＷＤＭフィルタ６０２が出力した波長λ１’’’の光信号を受信すると、該波長λ１’’’の光信号を電気信号へ変換する。
ステップＳ６０９では、光受信側設備６００の第２の光受信部６０６は、ＷＤＭフィルタ６０２が出力した波長λ２’’’の光信号を受信すると、該波長λ２’’’の光信号を電気信号へ変換する。
ステップＳ６１０では、光受信側設備６００の第１の周波数再変換部６０８は、第２の光受信部６０６が出力した電気信号を取得すると、該電気信号を、周波数変換することによって衛星右旋ＩＦ信号に変換する。
ステップＳ６１１では、光受信側設備６００の第３の光受信部６１０は、ＷＤＭフィルタ６０２が出力した波長λ３’’’の光信号を受信すると、該波長λ３’’’の光信号を電気信号へ変換する。
ステップＳ６１２では、光受信側設備６００の第２の周波数再変換部６１２は、第３の光受信部６１０が出力した電気信号を取得すると、該電気信号を、周波数変換することによって衛星左旋ＩＦ信号に変換する。
【００７３】
前述した実施形態では、ヘッドエンド設備５０２から、ＵＨＦ帯の映像信号と、衛星右旋ＩＦ信号と、衛星左旋ＩＦ信号との三系統に分かれて出力される場合について説明したが、この例に限られない。例えば、ヘッドエンド設備５０２から、ＵＨＦ帯の映像信号と衛星右旋ＩＦ信号と衛星左旋ＩＦ信号とが周波数多重された一系統の信号が出力されるようにしてもよい。この場合、ヘッドエンド設備５０２の後段に、一系統の信号を三系統の信号に分割する帯域分割部が設けられる。帯域分割部は、ＵＨＦ帯の映像信号と衛星右旋ＩＦ信号と衛星左旋ＩＦ信号とが周波数多重された一系統の信号を、ＵＨＦ帯の映像信号と、衛星右旋ＩＦ信号と、衛星左旋ＩＦ信号との三系統に分割する。帯域分割部は、ＵＨＦ帯の映像信号を第１の光送信部５０４へ出力し、衛星右旋ＩＦ信号を第１の周波数変換部５０６へ出力し、衛星左旋ＩＦ信号を第２の周波数変換部５１２へ出力する。
前述した実施形態では、ＷＤＭフィルタ５１０が、波長λ１’’’の光信号と波長λ２’’’の光信号と波長λ３’’’の光信号とを波長多重することによって得られた信号が、光ネットワーク５０へ送信される場合について説明したが、この例に限られない。例えば、ＷＤＭフィルタ５１０を使用することなく、ファイバ三心で伝送するようにしてもよい。このように構成することによって、光送信側設備５００にＷＤＭフィルタ５１０を不要にできるとともに、光受信側設備６００においてもＷＤＭフィルタ６０２を不要にできる。
前述した実施形態では、伝送する信号の帯域が、ＵＨＦ帯の映像信号の４００ＭＨｚ〜７７０ＭＨｚ、衛星右旋ＩＦ信号の１ＧＨｚ〜２．１ＧＨｚ、及び衛星左旋ＩＦ信号の２．２ＧＨｚ〜３．２ＧＨｚの三個のブロックに分割される場合について、説明したがこの例に限られない。例えば、伝送する信号の帯域を、四個以上のブロックに分割されてもよい。
前述した実施形態では、波長λ２’’’及びλ３’’’に対応した衛星右旋ＩＦ信号及び衛星左旋ＩＦ信号のそれぞれを周波数変換する場合について説明したが、この例に限られない。例えば、衛星左旋ＩＦ信号を衛星右旋ＩＦ信号と同じ帯域に周波数変換するようにしてもよい。また、例えば、ＵＨＦ帯の映像信号を低周波数側へ周波数変換するようにしてもよい。
【００７４】
実施形態に係る光伝送システムによれば、強度変調方式によって、多チャンネル映像信号が変換された光信号を光ファイバで伝送する場合、キャリア周波数が高い衛星左旋ＩＦ信号を低周波側の周波数へ変換する。このように構成することによって、キャリア周波数を低くすることができるため、非線形光学効果や光波長分散による信号の品質劣化を低減できる。このため、配信チャンネルに、衛星左旋ＩＦ信号が追加される場合でも、非線形光学効果や光波長分散による品質劣化を受けにくくすることができる。
また、実施形態に係る光伝送システムによれば、ＦＭ一括変換方式によって、多チャンネル映像信号が変換された光信号を光ファイバで伝送する場合、キャリア周波数が高い衛星左旋ＩＦ信号を低周波側の周波数へ変換する。このように構成することによって、キャリア周波数を低くすることができるため、非線形光学効果や光波長分散による信号の品質劣化を低減できる。このため、配信チャンネルに、衛星左旋ＩＦ信号が追加される場合でも、非線形光学効果や光波長分散による品質劣化を受けにくくすることができる。さらに、伝送する信号の帯域の最大周波数を低くすることができるため、伝送する信号の最大周波数をＦＭの搬送波周波数である３±０．５ＧＨｚの範囲から遠ざけることができるため、ＦＭ復調前の信号がＦＭ復調後の信号に漏れ込む影響を低減できる。
【００７５】
上述した実施形態における光送信側設備、及び光受信側設備をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＦＰＧＡ（Field Programmable Gate Array）等のプログラマブルロジックデバイスを用いて実現されるものであってもよい。
前述した実施形態において、光送信側設備は送信装置の一例であり、光受信側設備は受信装置の一例である。
以上、この発明の実施形態について図面を参照して詳述してきたが、具体的な構成はこの実施形態に限られるものではなく、この発明の要旨を逸脱しない範囲の設計等も含まれる。
【符号の説明】
【００７６】
１…光伝送システム，  ２…光伝送システム，  ３…光伝送システム，  ５０…光ネットワーク，１００…光送信側設備，  １０２…ヘッドエンド設備，  １０４…第１の光送信部，  １０６…周波数変換部，  １０８…第２の光送信部，  １１０…ＷＤＭフィルタ，  ２００…光受信側設備，  ２０２…ＷＤＭフィルタ，  ２０４…第１の光受信部，  ２０６…第２の光受信部，  ２０８…周波数再変換部，３００…光送信側設備，  ３０２…ヘッドエンド設備，  ３０４…第１の光送信部，  ３０６…第２の周波数変換部，  ３０８…第２の光送信部，  ３１０…ＷＤＭフィルタ，  ３１２…第１の周波数変換部，  ４００…光受信側設備，  ４０２…ＷＤＭフィルタ，  ４０４…第１の光受信部，  ４０６…第２の光受信部，  ４０８…第２の周波数再変換部，  ４１０…第１の周波数再変換部，５００…光送信側設備，  ５０２…ヘッドエンド設備，  ５０４…第１の光送信部，  ５０６…第１の周波数変換部，  ５０８…第２の光送信部，  ５１０…ＷＤＭフィルタ，  ５１２…第２の周波数変換部，  ５１４…第３の光送信部，  ６００…光受信側設備，  ６０２…ＷＤＭフィルタ，  ６０４…第１の光受信部，  ６０６…第２の光受信部，  ６０８…第１の周波数再変換部，  ６１０…第３の光受信部，  ６１２…第２の周波数再変換部
【図１】
2018074477.tif 000005
【図２】
2018074477.tif 000006
【図３】
2018074477.tif 000007
【図４】
2018074477.tif 000008
【図５】
2018074477.tif 000009
【図６】
2018074477.tif 000010
【図７】
2018074477.tif 000011